(57)【要約】【課題】外部音声出力装置に対して音声を出力中に外部音声出力装置との接続が外れた場合に、当該端末装置本体が備える音声出力装置に対する音声の出力を抑制するか否かを、その状況に応じて適切に制御できるようにする。【解決手段】中央制御部１１は、ヘッドホン１０に対して音声出力中に当該ヘッドホン１０との接続が外れたことが検出された場合に、制御条件を満たすか否かの判別結果に基づいてサウンドスピーカ２３に対する音声出力を抑制するか否かを制御する。すなわち、サウンドスピーカ２３に対する音声の出力に適さない状況であれば音声の出力を抑制し、適する状況であれば音声の出力を抑制しないようにする。【選択図】  図２
2010050907.tif 000002
【特許請求の範囲】
【請求項１】
コンテンツを再生する再生手段を備えた端末装置であって、
外部音声出力装置との接続を検出する接続検出手段と、
この検出手段によって接続が検出された外部音声出力装置に対して前記コンテンツに含まれる音声を出力する第１出力手段と、
当該端末装置本体が備える音声出力装置に対して前記コンテンツに含まれる音声を出力する第２出力手段と、
この第２出力手段による音声出力装置への音声の出力を抑制するか否かを制御するための制御条件を満たすか否かを判別する条件判別手段と、
前記第１出力手段による外部音声出力装置に対して音声出力中に、前記検出手段によって当該外部音声出力装置との接続が外れたことが検出された場合に、前記条件判別手段による判別結果に基づいて前記第２出力手段による音声出力装置に対する音声出力を抑制するか否かを制御する制御手段と、
を具備したことを特徴とする端末装置。
【請求項２】
前記制御手段によって音声出力装置に対する音声出力を抑制する場合に、前記再生手段でのコンテンツの再生を停止する停止手段を更に備える、
ようにしたことを特徴とする請求項１記載の端末装置。
【請求項３】
前記制御手段によって音声出力装置に対する音声出力を抑制している状態において、前記条件判別手段による判別結果に基づいて、当該音声出力装置への音声出力の抑制を解除する解除手段を更に備える、
ようにしたことを特徴とする請求項１記載の端末装置。
【請求項４】
前記条件判別手段は、制御条件を満たすか否かの判別として、所定の交通機関を利用中か否かを判別し、
前記制御手段は、前記条件判別手段による判別結果として、所定の交通機関を利用中か否かに基づいて前記第２出力手段による音声出力装置に対する音声出力を抑制するか否かを制御する、
ようにしたことを特徴とする請求項１記載の端末装置。
【請求項５】
前記条件判別手段は、制御条件を満たすか否かの判別として、コンテンツを再生するための所定のアプリケーションプログラムが動作中か否かを判別し、
前記制御手段は、前記条件判別手段による判別結果として、所定のアプリケーションプログラムが動作中か否かに基づいて前記第２出力手段による音声出力装置に対する音声出力を抑制するか否かを制御する、
ようにしたことを特徴とする請求項１記載の端末装置。
【請求項６】
前記条件判別手段は、制御条件を満たすか否かの判別として、所定の動作モードに設定されているか否かを判別し、
前記制御手段は、前記条件判別手段による判別結果として、所定の動作モードに設定されているか否かに基づいて前記第２出力手段による音声出力装置に対する音声出力を抑制するか否かを制御する、
ようにしたことを特徴とする請求項１記載の端末装置。
【請求項７】
前記条件判別手段は、制御条件を満たすか否かの判別として、周囲の音量が所定の音量条件を満たすか否かを判別し、
前記制御手段は、前記条件判別手段による判別結果として、周囲の音量が所定の音量条件を満たすか否かに基づいて前記第２出力手段による音声出力装置に対する音声出力を抑制するか否かを制御する、
ようにしたことを特徴とする請求項１記載の端末装置。
【請求項８】
前記条件判別手段は、制御条件を満たすか否かの判別として、現在時刻が所定の時刻条件を満たすか否かを判別し、
前記制御手段は、前記条件判別手段による判別結果として、現在時刻が所定の時刻条件を満たすか否かに基づいて前記第２出力手段による音声出力装置に対する音声出力を抑制するか否かを制御する、
ようにしたことを特徴とする請求項１記載の端末装置。
【請求項９】
前記条件判別手段は、制御条件を満たすか否かの判別として、端末装置の位置を示す位置情報が所定の位置条件を満たすか否かを判別し、
前記制御手段は、前記条件判別手段による判別結果として、端末装置の位置を示す位置情報が所定の位置条件を満たすか否かに基づいて前記第２出力手段による音声出力装置に対する音声出力を抑制するか否かを制御する、
ようにしたことを特徴とする請求項１記載の端末装置。
【請求項１０】
コンピュータに対して、
コンテンツを再生する機能と、
外部音声出力装置との接続を検出する機能と、
前記接続が検出された外部音声出力装置に対して前記コンテンツに含まれる音声を出力する機能と、
端末装置本体が備える音声出力装置に対して前記コンテンツに含まれる音声を出力する機能と、
前記音声出力装置への音声の出力を抑制するか否かを制御するための制御条件を満たすか否かを判別する機能と、
前記外部音声出力装置に対して音声出力中に、前記外部音声出力装置との接続が外れたことが検出された場合に、前記判別結果に基づいて前記音声出力装置に対する音声出力を抑制するか否かを制御する機能と、
を実現させるためのプログラム。
【発明の詳細な説明】
【技術分野】
【０００１】
この発明は、コンテンツを再生する再生手段を備えた端末装置及びプログラムに関する。
【背景技術】
【０００２】
一般に、携帯電話機などの端末装置には、例えば、テレビ番組やラジオ番組を受信して再生出力する機能、記録された動画や音楽を再生出力する機能、緊急状態であることを周囲に報知するための警報音を再生出力する機能などのように、コンテンツを再生する様々な機能（アプリケーションプログラム）が搭載されている。また、端末装置は、例えば、イヤホンやヘッドホンなどのように、音声を出力するための外部音声出力装置が接続可能になっていて、外部音声出力装置が接続されている場合には外部音声出力装置に対して音声を出力し、外部音声出力装置が接続されていない場合には端末装置本体が備える音声出力装置（例えば、サウンドスピーカ）に対して音声を出力するようになっている。
【０００３】
このような端末装置においては、外部音声出力装置に対して音声を出力中に、誤って外部音声出力装置との接続が外れてしまうと、その出力先が外部音声出力装置から音声出力装置に切り替わって、突然、音声出力装置から大音量の音声が出力されることは、周囲に迷惑をかけてしまうことになる。
そこで、従来では、音声信号出力装置において音声信号の出力先として外部出力と内部出力との切り替え時に、音量を所定時間減衰させるようにした技術が開示されている。このように音量を所定時間減衰させることによって、ユーザの予想外の音量で音声が出力されて周囲に迷惑をかけることを防止できるようになる（特許文献１参照）。
【特許文献１】特開２００７−１３４８３１号公報
【発明の開示】
【発明が解決しようとする課題】
【０００４】
しかしながら、外部音声出力装置から音声出力装置に切り替えて音声を出力した場合に、必ずしも周囲に迷惑をかけるとは限らず、周囲に迷惑をかけるような状況でない場合にも、音声出力装置に対する音声出力を抑制することは、ユーザに対する利便性を大きく損なってしまう。例えば、ユーザが意図的に外部音声出力装置を外したときでも、音声出力装置に対する音声出力を抑制してしまうと、音が小さすぎて聴き辛かったり、聴き逃してしまったりすることになる。
【０００５】
この発明の課題は、外部音声出力装置に対して音声を出力中に外部音声出力装置との接続が外れた場合に、当該端末装置本体が備える音声出力装置に対する音声の出力を抑制するか否かを、その状況に応じて適切に制御できるようにすることである。
【課題を解決するための手段】
【０００６】
上述した課題を解決するために請求項１記載の発明は、コンテンツを再生する再生手段を備えた端末装置であって、外部音声出力装置との接続を検出する接続検出手段と、この検出手段によって接続が検出された外部音声出力装置に対して前記コンテンツに含まれる音声を出力する第１出力手段と、当該端末装置本体が備える音声出力装置に対して前記コンテンツに含まれる音声を出力する第２出力手段と、この第２出力手段による音声出力装置への音声の出力を抑制するか否かを制御するための制御条件を満たすか否かを判別する条件判別手段と、前記第１出力手段による外部音声出力装置に対して音声出力中に、前記検出手段によって当該外部音声出力装置との接続が外れたことが検出された場合に、前記条件判別手段による判別結果に基づいて前記第２出力手段による音声出力装置に対する音声出力を抑制するか否かを制御する制御手段と、を具備したことを特徴とする。
【０００７】
請求項１に従属する発明として、前記制御手段によって音声出力装置に対する音声出力を抑制する場合に、前記再生手段でのコンテンツの再生を停止する停止手段を更に備える、ようにしたことを特徴とする請求項２記載の発明であってもよい。
【０００８】
請求項１に従属する発明として、前記制御手段によって音声出力装置に対する音声出力を抑制している状態において、前記条件判別手段による判別結果に基づいて、当該音声出力装置への音声出力の抑制を解除する解除手段を更に備える、ようにしたことを特徴とする請求項３記載の発明であってもよい。
【０００９】
請求項１に従属する発明として、前記条件判別手段は、制御条件を満たすか否かの判別として、所定の交通機関を利用中か否かを判別し、前記制御手段は、前記条件判別手段による判別結果として、所定の交通機関を利用中か否かに基づいて前記第２出力手段による音声出力装置に対する音声出力を抑制するか否かを制御する、ようにしたことを特徴とする請求項４記載の発明であってもよい。
【００１０】
請求項１に従属する発明として、前記条件判別手段は、制御条件を満たすか否かの判別として、コンテンツを再生するための所定のアプリケーションプログラムが動作中か否かを判別し、前記制御手段は、前記条件判別手段による判別結果として、所定のアプリケーションプログラムが動作中か否かに基づいて前記第２出力手段による音声出力装置に対する音声出力を抑制するか否かを制御する、ようにしたことを特徴とする請求項５記載の発明であってもよい。
【００１１】
請求項１に従属する発明として、前記条件判別手段は、制御条件を満たすか否かの判別として、所定の動作モードに設定されているか否かを判別し、前記制御手段は、前記条件判別手段による判別結果として、所定の動作モードに設定されているか否かに基づいて前記第２出力手段による音声出力装置に対する音声出力を抑制するか否かを制御する、ようにしたことを特徴とする請求項６記載の発明であってもよい。
【００１２】
請求項１に従属する発明として、前記条件判別手段は、制御条件を満たすか否かの判別として、周囲の音量が所定の音量条件を満たすか否かを判別し、前記制御手段は、前記条件判別手段による判別結果として、周囲の音量が所定の音量条件を満たすか否かに基づいて前記第２出力手段による音声出力装置に対する音声出力を抑制するか否かを制御する、ようにしたことを特徴とする請求項７記載の発明であってもよい。
【００１３】
請求項１に従属する発明として、前記条件判別手段は、制御条件を満たすか否かの判別として、現在時刻が所定の時刻条件を満たすか否かを判別し、前記制御手段は、前記条件判別手段による判別結果として、現在時刻が所定の時刻条件を満たすか否かに基づいて前記第２出力手段による音声出力装置に対する音声出力を抑制するか否かを制御する、ようにしたことを特徴とする請求項８記載の発明であってもよい。
【００１４】
請求項１に従属する発明として、前記条件判別手段は、制御条件を満たすか否かの判別として、端末装置の位置を示す位置情報が所定の位置条件を満たすか否かを判別し、前記制御手段は、前記条件判別手段による判別結果として、端末装置の位置を示す位置情報が所定の位置条件を満たすか否かに基づいて前記第２出力手段による音声出力装置に対する音声出力を抑制するか否かを制御する、ようにしたことを特徴とする請求項９記載の発明であってもよい。
【００１５】
また、上述した課題を解決するために請求項１０記載の発明は、コンピュータに対して、コンテンツを再生する機能と、外部音声出力装置との接続を検出する機能と、前記接続が検出された外部音声出力装置に対して前記コンテンツに含まれる音声を出力する機能と、端末装置本体が備える音声出力装置に対して前記コンテンツに含まれる音声を出力する機能と、前記音声出力装置への音声の出力を抑制するか否かを制御するための制御条件を満たすか否かを判別する機能と、前記外部音声出力装置に対して音声出力中に、前記外部音声出力装置との接続が外れたことが検出された場合に、前記判別結果に基づいて前記音声出力装置に対する音声出力を抑制するか否かを制御する機能と、を実現させるためのプログラム。
【発明の効果】
【００１６】
この発明によれば、外部音声出力装置に対して音声を出力中に外部音声出力装置との接続が外れたような場合に、端末装置本体が備える音声出力装置に対する音声の出力を抑制するか否かを、その状況に応じて適切に制御することによって、音声出力装置に対する音声の出力に適さない状況であれば音声の出力を抑制し、適する状況であれば音声の出力を抑制しないようにすることができ、周囲への迷惑防止と共にユーザに対する利便性を確保することが可能となる。
【発明を実施するための最良の形態】
【００１７】
以下、図１〜図２０を参照して本発明の実施形態を説明する。
この実施形態は、端末装置として携帯電話機に適用した場合を例示したもので、図１は、この携帯電話機が利用可能な通信ネットワークシステムを示したブロック図である。
携帯電話機１は、通話機能、電子メール機能、インターネット接続機能（Ｗｅｂアクセス機能）のほか、デジタルテレビ放送（例えば、ワンセグ地上デジタルテレビ放送）を受信可能なテレビ放送受信機能、デジタルラジオ放送（例えば、サンセグ地上デジタルラジオ放送）を受信可能なラジオ放送受信機能、近距離通信機能などが備えられている。この近距離通信機能は、外部装置（車載装置、公共交通機関装置）との間でＩＣカード通信、赤外線通信、Bluetooth（登録商標）通信などの非接触タイプや接触タイプの近距離通信を行うものである。なお、電車、バス、飛行機などの公共交通機関の利用時にはＩＣカード通信によって乗車券処理を行うようにしている。
【００１８】
携帯電話機１は、最寄りの基地局２Ａ、交換機２Ｂから無線通信網（移動体通信網）２に接続されると、この無線通信網２を介して他の携帯電話機１との間で通話可能な状態となる。また、携帯電話機１は、無線通信網２を介してインターネット３に接続されると、Ｗｅｂサイトをアクセスして閲覧可能となり、また、コンテンツ配信装置４から音楽・映画などのコンテンツをインターネット３、無線通信網２を介してダウンロード可能となる。また、携帯電話機１は、テレビ局・ラジオ局５から送信アンテナ６を介して発信された地上波デジタル放送を受信するようにしているが、インターネットラジオのように無線通信網２、インターネット３を介してテレビ・ラジオ番組情報サーバ（図示せず）からデジタル放送をダウンロード受信することもできる。
【００１９】
携帯電話機１は、最寄りの基地局２Ａを介して位置登録を行ったり、現在位置を取得したりするときにＧＰＳ（Global Positioning System）衛星７を利用するようにしている。また、携帯電話機１は、自家用車に搭載されている車載装置８に直接接続、あるいは近距離通信を介して接続可能となっている。この車載装置８は、自家用車に搭載されているハンズフリーキット（携帯電話機１に接続して利用可能なスピーカ及びマイクのセット）、カーナビ（カー・ナビゲーション・システム）、車内に居ることを認識するための信号を発信する信号発信装置である。
【００２０】
また、携帯電話機１は、公共交通機関装置９との間で近距離通信が可能となっている。この公共交通機関装置９は、電車、バス、飛行機などの交通機関の改札口に設置されている改札装置、電車、バス、飛行機などに乗っていることを認識するための信号を発信する信号発信装置である。また、携帯電話機１は、例えば、スピーカハウジング形状が密閉型のヘッドホン（外部音声出力装置）１０が接続可能となっている。なお、“音声”とは、テレビ放送、ラジオ放送、音楽コンテンツなどの音や声のほか、警報音などの音も含むことを意味している（以下、同様）。
【００２１】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリなどを有している。この記憶部１３には、プログラム記憶部Ｍ１、各種情報一時記憶部Ｍ２、コンテンツ記憶部Ｍ３、動作モード情報記憶部Ｍ４、利用履歴記憶部Ｍ５、制御条件記憶部Ｍ６などが設けられている。
【００２２】
プログラム記憶部Ｍ１は、図７〜図２０に示した動作手順に応じて本実施形態を実現するためのプログラムや各種のアプリケーションなどが格納されているほか、後述する緊急報知音など、本実施形態を実現するためのデータも記憶されている。各種情報一時記憶部Ｍ２は、画面情報、フラグ情報、タイマ情報など、携帯電話機１が動作するために必要な各種の情報を一時的に記憶するワーク領域である。なお、コンテンツ記憶部Ｍ３、動作モード情報記憶部Ｍ４、利用履歴記憶部Ｍ５、制御条件記憶部Ｍ６については後で詳述するものとする。
【００２３】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調したのち、音声信号処理部１５を介して送話スピーカＳＰから音声出力させ、また、受話マイクＭＣからの入力音声データを音声信号処理部１５から取り込み、送信ベースバンド信号に符号化したのち、ベースバンド部の送信側に与えてアンテナから発信出力させる。ＧＰＳ受信部１６は、ＧＰＳ衛星７からＧＰＳ情報を受信取得するもので、中央制御部１１は、ＧＰＳ受信部１６から受信した信号に基づいて位置登録を行ったり、現在位置を算出取得したりする。
【００２４】
放送受信部１７は、テレビ放送受信部とラジオ放送受信部とを有し、それらを個別に起動可能なもので、通信端末装置向けの地上波デジタルテレビ放送、地上波デジタルラジオ放送と共に、電子番組表（ＥＰＧ）などの番組情報も含めて受信可能となっている。この放送受信部１７は、放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。近距離通信部１８は、外部装置としての車載装置８や公共交通機関装置９との間で通信を行うもので、電車、バス、飛行機、自家用車などに乗っていることを認識するための信号を受信したり、公共交通機関装置９である改札装置との間で通信を行ったりする。
【００２５】
表示部１９は、高精細液晶あるいは有機ＥＬなどを使用し、例えば、文字情報、待受画像、テレビ映像などを表示させる。操作部２０は、ダイヤル入力、文字入力、コマンド入力などを入力するもので、中央制御部１１は、この操作部２０からの入力操作信号に応じた処理を実行する。ＲＴＣ（リアルタイムクロックモジュール）２１は、時計部を構成するもので、中央制御部１１は、ＲＴＣ２１から現在日時を取得する。報知部２２は、サウンドスピーカ２３、ＬＥＤ（発光ダイオード）２４、振動モータ２５を備え、着信時に駆動されて着信報知を行うほか、アラーム報知時などでも駆動される。サウンドスピーカ２３は、この携帯電話機本体（端末装置本体）が備える音声出力装置であり、音楽コンテンツなどを再生出力したり、テレビ放送やラジオ放送などの録音内容を再生出力したりする。外部機器接続部２６は、上述のハンズフリーキットやカーナビが有線接続されるコネクタ部である。
【００２６】
ヘッドホン接続部２７は、上述のヘッドホン（外部音声出力装置）１０が有線接続されるコネクタ部であり、コンテンツの音声出力中にヘッドホン１０が接続されたり、外されたりしたことを検出するもので、この検出結果に応じて中央制御部１１は音声の出力先をサウンドスピーカ２３からヘッドホン１０、あるいはヘッドホン１０からサウンドスピーカ２３に切り替えるようにしている。また、中央制御部１１は、ヘッドホン１０に対してコンテンツを音声出力している音声出力中においてヘッドホン接続部２７からヘッドホン１０が外れたことが検出されると、後述する制御条件を満たすか否かの判別結果に基づいてサウンドスピーカ２３に対する音声出力を抑制するか否かを制御するようにしている。周囲音量検出部２８は、周囲の騒音レベルを検出するもので、中央制御部１１は、上述した制御条件の一つとして周囲の騒音レベルを取得し、周囲の騒音レベルが高ければ、サウンドスピーカ２３に対する音声出力を抑制しないようにしている。
【００２７】
図３は、コンテンツ記憶部Ｍ３を説明するための図である。
コンテンツ記憶部Ｍ３は、コンテンツ配信装置４からダウンロードした音楽・動画などを記憶したり、記録（録画、録音）したテレビ番組、ラジオ番組を記憶したりするもので、「ＩＤ」、「種別」、「記録日時」、「関連情報」、「実データ」、「一時停止フラグ」の各項目を有している。「ＩＤ」はコンテンツを識別する一連Ｎｏを記憶する項目、また、「種別」はコンテンツの種類を示す情報として、例えば、音楽、動画、録画されたテレビ番組、録音されたラジオ番組などを記憶する項目、「記録日時」はコンテンツを記録した日時を記憶する項目である。
【００２８】
「関連情報」はコンテンツに関連する情報として、音楽であれば、曲名、歌手名など、録画されたテレビ番組であれば、番組名、放送日時、チャンネル番号、出演者などを記憶する項目である。「実データ」は実際のコンテンツデータを記憶する項目である。「一時停止フラグ」はコンテンツの再生を一時停止していることを示すフラグを記憶する項目である。中央制御部１１は、コンテンツの再生中にヘッドホン１０の接続が外れたことによってサウンドスピーカ２３に対する音声出力を抑制する場合に、コンテンツの再生を一時停止すると共に、「一時停止フラグ」をオンするようにしている。
【００２９】
図４は、動作モード情報記憶部Ｍ４を説明するための図である。
動作モード情報記憶部Ｍ４は、上述した制御条件の一つである動作モードを記憶するもので、「ＩＤ」、「内容」、「設定フラグ」の各項目を有している。「ＩＤ」は動作モードを識別する一連Ｎｏを記憶する項目、また、「内容」は上述の制御条件としての動作モードを記憶する項目で、例えば、“通常モード”、“緊急モード”、“電波オフモード”、“省電力モード”などが設定されている。「設定フラグ」はユーザ操作によって現在有効な動作モードが選択的に設定されたもので、その値が“１”のときには現在有効な動作モードであることを示している。
【００３０】
ここで、「緊急モード」は、通常の動作に加えて、定期的に自らの位置情報を取得して特定の相手に送信する動作を行い、特定の相手からの着信を最優先にする動作モードで、ユーザ操作によって任意に設定されたものである。なお、緊急番号（１１０、１１９など）に発信した場合に自動で「緊急モード」に設定されるようにしてもよい。「電波オフモード」は、基地局との通信を禁止するモードで、それ以外の通信、つまり、ＧＰＳ衛星７、送信アンテナ６、公共交通機関装置９である改札装置、自家用車用の車載装置８との通信は、「電波オフモード」では制限しないようにしている。
【００３１】
この「電波オフモード」は、ユーザ操作によって任意に設定されたものであるが、公共交通機関の利用が検出された場合には自動で設定するようにしてもよい。「省電力モード」は、基地局との通信間隔を長くしたり、音量を下げたり、表示部の明るさを暗くすることによって電力消費を抑制するモードで、ユーザ操作によって任意に設定されたものである。なお、通常モード以外のモードは、動作に矛盾が無い限り、例えば、電波オフモードと省電力モードなどのように複数の動作モードを現在有効なモードとして設定するようにしてもよい。なお、「通常モード」は、上述した“緊急モード”、“電波オフモード”、“省電力モード”などの特殊モード以外の動作モードである。
【００３２】
図５は、利用履歴記憶部Ｍ５を説明するための図である。
利用履歴記憶部Ｍ５は、自家用車、公共交通機関（電車、バス、飛行機など）の利用状況をその利用履歴として記憶するもので、「ＩＤ」、「種別」、「利用日時」、「利用料金」、「残高」、「関連情報」、「利用中フラグ」の各項目を有している。「ＩＤ」は交通機関の利用状況を識別する一連Ｎｏを記憶する項目、また、「種別」は交通機関の種類を示す情報として自家用車、電車、バスなどを記憶する項目である。「利用日時」は交通機関を利用した日時（利用開始日時と利用終了日時）を記憶する項目である。
【００３３】
「利用料金」は交通機関の利用時の支払い金額を記憶する項目であるが、自家用車を利用した場合に「利用料金」の記憶は不要でなる。「残高」は交通機関の料金精算処理を行う乗車券機能にチャージされている電子マネーの残高で、公共交通機関を利用する毎に、中央制御部１１は「残高」から「利用料金」を減額する残高更新処理を行う。「関連情報」は、例えば、電車であれば、利用開始駅、利用終了駅、路線名など、飛行機であれば、利用開始空港、利用終了空港、便名など、交通機関に関連する情報を記憶する項目である。「利用中フラグ」は交通機関を利用中であることを示すフラグで、利用中であればオンされてその値は“１”となる。
【００３４】
図６は、制御条件記憶部Ｍ６を説明するための図である。
制御条件記憶部Ｍ６は、ヘッドホン１０への音声出力中にヘッドホン１０の接続が外れたときに、サウンドスピーカ２３に対する音声出力を抑制するか否かを制御するための制御条件を記憶するもので、「ＩＤ」、「項目」、「内容」、「設定フラグ」の各項目を有している。「ＩＤ」は制御条件を識別する一連Ｎｏ記憶する項目である。また、「項目」は条件項目として、例えば、“交通機関”、“アプリケーション”、“動作モード”、“周囲音量”、“日時”、“位置”などを記憶する項目である。
【００３５】
「内容」は項目の具体的な内容を示している。例えば、制御条件の「内容」“電車、抑制する”は、電車の利用中にヘッドホン１０の接続が外れたときにはサウンドスピーカ２３に対する音声出力を抑制するが、電車を利用していなければ、その音声出力を抑制しないことを意味している。また、“自家用車、抑制しない”は、自家用車の利用中ヘッドホン１０の接続が外れてもサウンドスピーカ２３に対する音声出力を抑制しないが、自家用車を利用していなければ、その音声出力を抑制することを意味している。このことは、他の「項目」の“アプリケーション”、“動作モード”、“周囲音量”、“日時”、“位置”などであっても同様である。
【００３６】
すなわち、「項目」が“アプリケーション”で「内容」が“緊急報知アプリ（アプリケーション）、抑制しない”は、緊急報知アプリの動作中にヘッドホン１０の接続が外れたとしてもサウンドスピーカ２３に対する音声出力を抑制しないが、それ以外では抑制することを意味している。また、「項目」が“日時”で「内容」が“２３：００〜５：００”は、深夜から明朝の時間帯でヘッドホン１０の接続が外れたらサウンドスピーカ２３に対する音声出力を抑制するが、それ以外の時間帯で外れたとしても抑制しないことを意味している。
【００３７】
「設定フラグ」は、ユーザ操作によって現在有効な制御条件を選択的に設定するもので、その値が“１”のときには現在有効な制御条件であることを示している。なお、制御条件記憶部Ｍ６には抑制条件として、“抑制する”ための条件のみを設定するようにしてもよいし、“抑制しない”ための条件のみを設定するようにしてもよい。また、“抑制する”ための条件と、“抑制しない”ための条件の両方を満たしたときには、抑制するかしないかを予め決めておくようにしてもよいし、条件の優先順位を決めておいて、より優先順位の高い条件の内容に従うようにしてもよい。
【００３８】
次に、この実施形態における携帯電話機１の動作概念を図７〜図２０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに伝送媒体を介して外部供給されたプログラム／データを利用してこの実施形態特有の動作を実行することもできる。
【００３９】
図７は、携帯電話機１の全体動作の概要を示したフローチャートである。
先ず、中央制御部１１は、電源を投入する電源オン操作が行われると（ステップＡ１でＹＥＳ）、電源供給を開始させて所定のメモリなどを初期化する電源オン処理を実行したのち、所定の待受画像を読み出して表示させたり、基地局２Ａとの間で通信を行って位置登録をしたりする待受処理を行う（ステップＡ２）。そして、操作部２０をアクセスして操作有無をチェックし、情報設定を指示する設定操作が行われたかを調べる（ステップＡ３）。いま、設定操作が行われると、その設定操作に応じた設定処理として、例えば、動作モード情報記憶部Ｍ４、制御条件記憶部Ｍ６に対してその「設定フラグ」などを設定する処理を行う（ステップＡ４）。その後、上述のステップＡ３に戻る。
【００４０】
また、公共交通機関装置９と近距離通信部１８との間で交通機関の利用が検出されると（ステップＡ５でＹＥＳ）、その利用処理を実行したのち（ステップＡ６）、上述のステップＡ３に戻る。この利用処理は、後で詳述するが、交通機関の利用に応じて料金精算や利用履歴の記憶などを行う処理である。また、コンテンツの再生を指示する操作が行われると（ステップＡ７でＹＥＳ）、その再生処理を実行したのち（ステップＡ８）、上述のステップＡ３に戻る。この再生処理は、後で詳述するが、コンテンツの再生出力を開始したのち、ヘッドホン１０が接続されているか否かに応じてその出力先を切り替える処理である。
【００４１】
また、ヘッドホン１０が接続されたこと、又は外れたことが検出されると（ステップＡ９でＹＥＳ）、それに応答してヘッドホン処理を実行したのち（ステップＡ１０）、上述のステップＡ３に戻る。このヘッドホン処理は、後で詳述するが、ヘッドホン１０に対してコンテンツを音声出力している音声出力中にヘッドホン１０の接続が外れたときに、上述した制御条件を満たすか否かの判別結果に基づいてサウンドスピーカ２３に対する音声出力を抑制するか否かを制御したり、サウンドスピーカ２３に対する音声出力の抑制中にヘッドホン１０が接続されたときにその抑制を解除したりする処理である。
【００４２】
また、サウンドスピーカ２３に対する音声出力の抑制中にその抑制を解除する解除タイマ（図示せず）がタイムアウトとなると（ステップＡ１１でＹＥＳ）、その解除処理を実行したのち（ステップＡ１２）、上述のステップＡ３に戻る。この解除タイマは、サウンドスピーカ２３に対する音声出力を抑制している状態で、その抑制を解除するためのタイミング（例えば、１分あるいは５分など）を測定するタイマである。また、解除処理は、サウンドスピーカ２３に対する音声出力の抑制中にヘッドホン１０が接続されなくても、その抑制をしている状態で解除タイマがタイムアウトとなった際にその抑制を解除するための処理である。
【００４３】
また、着信を検出すると（ステップＡ１３でＹＥＳ）、通話履歴の記憶あるいは受信メールを記憶する着信処理を実行すると共に（ステップＡ１４）、通話処理を実行したり、あるいは受信メールの内容を表示する表示処理を実行したのち（ステップＡ１５）、上述のステップＡ３に戻る。また、電源オフ操作が行われたときには（ステップＡ１６でＹＥＳ）、電源オフ処理を実行して（ステップＡ１７）、このフローの終了となるが、その他の操作が行われたときには（ステップＡ１８でＹＥＳ）、その操作に応じた処理として、例えば、テレビ番組とラジオ番組の記録（録画と録音）、コンテンツのダウンロード、緊急報知アプリ、テレビ再生アプリ、ラジオ再生アプリ、その他の再生アプリの終了、通話の発信、メールの発信などを行う（ステップＡ１９）。
【００４４】
次に、図８のフローチャートに従って上述した利用処理（図７のステップＡ６）を詳述する。
先ず、中央制御部１１は、交通機関の利用検出が、利用開始の検出なのか、利用終了の検出なのかを判別する（ステップＢ１）。ここで、利用開始の検出とは、公共交通機関装置９との通信によって入札が検出されたとき、自家用車の車載装置（ハンズフリーキットやカーナビなど）に携帯電話機１が接続されたことが検出されたとき、電車、バス、飛行機、自家用車の中で発信されている信号を受信したことが検出されたときである。なお、車載装置によって高速移動が検出されたときであってもよい。
【００４５】
いま、利用開始が検出された場合（ステップＢ１でＹＥＳ）、利用開始時に精算する料金システムであれば、この時点で料金精算処理を実行する（ステップＢ２）。なお、自家用車利用時にはこの料金精算処理はスキップされる。次に、利用履歴記憶部Ｍ５に「種別」、「利用日時（利用開始日時）」などのように利用開始時に取得可能な各情報を記憶したのち（ステップＢ３）、「利用中フラグ」を“１”とする（ステップＢ４）。
【００４６】
また、利用終了の検出とは、公共交通機関装置９との通信によって出札が検出されたとき、自家用車の車載装置（ハンズフリーキットやカーナビなど）から携帯電話機１が外されたことが検出されたとき、電車、バス、飛行機、自家用車の中で発信されている信号を受信できなくなったことが検出されたときである。いま、公共交通機関装置９の利用検出が、利用終了の検出である場合に（ステップＢ１でＮＯ）、利用終了時に精算する料金システムであれば、この時点で料金精算処理を実行する（ステップＢ５）。なお、自家用車利用時にはこの精算処理はスキップされる。次に、利用履歴記憶部Ｍ５に「利用日時（利用終了日時）」などのように利用終了時に取得可能な情報を記憶したのち（ステップＢ６）、「利用中フラグ」を“０”とする（ステップＢ７）。
【００４７】
このように交通機関装置９の利用検出（利用開始の検出／利用終了の検出）に応じて実行される利用処理（図７のステップＡ５、Ａ６）によって、料金精算、利用履歴の記憶、利用中フラグの更新が行われる。
【００４８】
次に、図９及び図１０のフローチャートに従って上述した再生処理（図７のステップＡ８）を詳述する。
先ず、中央制御部１１は、コンテンツを再生する操作が、緊急報知アプリを起動する操作（緊急報知音を再生する操作）なのか（図９のステップＣ１）、テレビ番組／ラジオ番組を再生する操作なのか、記憶されているコンテンツを再生する操作なのかを判別する（ステップＣ７）。いま、緊急報知アプリを起動する操作が行われたときには（ステップＣ１でＹＥＳ）、それに応答して緊急報知アプリを起動したのち（ステップＣ２）、ヘッドホン１０が接続されているかを調べ（ステップＣ３）、ヘッドホン１０が接続されていれば、ヘッドホン１０に対して音声（緊急報知音）出力を開始するが（ステップＣ４）、ヘッドホン１０が接続されていなければ（ステップＣ３でＮＯ）、サウンドスピーカ２３に対して音声（緊急報知音）出力を開始して（ステップＣ５）、サウンドスピーカ２３からの音声（緊急報知音）出力を開始させる（ステップＣ６）。
【００４９】
また、テレビ番組／ラジオ番組を再生する操作が行われたときには（ステップＣ７でＹＥＳ）、それに応答して放送受信部１７を動作可能な状態としてテレビ再生アプリ／ラジオ再生アプリを起動したのち（ステップＣ８）、テレビ番組／ラジオ番組の受信を開始する（ステップＣ９）。そして、表示部１９に対してテレビ映像出力を開始して（ステップＣ１０）、表示部１９からの映像出力を開始させる（ステップＣ１１）。なお、再生対象がラジオ番組であれば、この映像出力開始のステップＣ１０及びステップＣ１１はスキップされる。この状態において、ヘッドホン１０が接続されているかを調べ（ステップＣ１２）、ヘッドホン１０が接続されていれば、ヘッドホン１０に対してテレビ／ラジオ音声の出力を開始し（ステップＣ１３）、ヘッドホン１０が接続されていなければ（ステップＣ１２でＮＯ）、サウンドスピーカ２３に対してテレビ／ラジオ音声の出力を開始して（ステップＣ１４）、サウンドスピーカ２３からのテレビ／ラジオ音声出力を開始させる（ステップＣ１５）。
【００５０】
また、記憶されているコンテンツを再生する操作が行われたときには（ステップＣ７でＮＯ）、図１０のフローに移り、再生するコンテンツに応じた再生アプリを起動する（ステップＣ１６）。この場合、記憶されている再生対象のコンテンツがラジオ番組や音楽であれば、音楽再生アプリを起動し、テレビ番組や動画であれば、動画再生アプリを起動する。そして、再生対象のコンテンツを読み出すると共に（ステップＣ１７）、表示部１９に対してその映像出力を開始すると（ステップＣ１８）、表示部１９から映像出力が開始される（ステップＣ１９）。なお、ラジオ番組のようにコンテンツに映像が含まれていなければ、この映像出力開始のステップＣ１８及びステップＣ１９はスキップされる。
【００５１】
この状態において、ヘッドホン１０が接続されているかを調べ（ステップＣ２０）、ヘッドホン１０が接続されていれば、ヘッドホン１０に対して音声出力を開始し（ステップＣ２１）、ヘッドホン１０が接続されていなければ（ステップＣ２０でＮＯ）、サウンドスピーカ２３に対し音声出力を開始して（ステップＣ２２）、サウンドスピーカ２３からの音声出力を開始させる（ステップＣ２３）。
【００５２】
このようにコンテンツ再生操作に応じて実行される再生処理によって（図７のステップＡ７、Ａ８）、コンテンツの再生出力が開始されるほか、ヘッドホン１０が接続されているか否かに応じてその出力先が切り替えられる。
【００５３】
次に、図１１及び図１２のフローチャートに従って上述したヘッドホン処理（図７のステップＡ１０）を詳述する。
先ず、中央制御部１１は、ヘッドホン１０検出が、ヘッドホン１０が接続されたことの検出なのか、ヘッドホン１０が外れたことの検出なのかを判別する（図１１のステップＤ１）。いま、ヘッドホン１０が接続されている状態において本意／不本意に拘わらず、ヘッドホン１０が外れたことが検出されると（ステップＤ１でＮＯ）、図１２のフローに移り、ヘッドホン１０に対して音声出力中かを調べる（ステップＤ２３）。ここで、ヘッドホン１０に対して音声出力中でなければ、ヘッドホン処理の終了となるが、音声出力中であれば（ステップＤ２３でＹＥＳ）、サウンドスピーカ２３に対する音声出力を抑制するか否かを判別する抑制判別処理の実行に移る（ステップＤ２４）。
【００５４】
図１３は、抑制判別処理（図１２のステップＤ２４）を詳述するためのフローチャートである。
先ず、中央制御部１１は、制御条件記憶部Ｍ６をアクセスしてその先頭から「ＩＤ」が“Ｄ０１”（
「項目」が“交通機関”）の制御条件を読み出し（ステップＥ１）、その「設定フラグ」が“１”の「内容」が有るかを調べ（ステップＥ２）、「設定フラグ」が“１”の「内容」が記憶されていなければ、次のステップＥ４に移る。図６の例では、「設定フラグ」が“１”の「内容」として、“電車、抑制する”と“飛行機、抑制する”が記憶されているので（ステップＥ２でＹＥＳ）、交通機関の利用履歴に応じてサウンドスピーカ２３に対する音声出力を抑制するか否かを判別する判別処理Ａに移る（ステップＥ３）。
【００５５】
図１４は、上述した判別処理Ａ（図１３のステップＥ３）を詳述するためのフローチャートである。
先ず、中央制御部１１は、利用履歴記憶部Ｍ５をアクセスして利用履歴を読み出し（ステップＦ１）、「利用中フラグ」が“１”の利用履歴を検索し、その「種別」は「設定フラグ」が“１”の制御条件の「内容」を満たすかを調べ（ステップＦ２）、それを満たせば、この制御条件の「内容」は“抑制する”になっているかを調べる（ステップＦ３）。
【００５６】
いま、図５及び図６の例のように「利用中フラグ」が“１”の利用履歴の「種別」が“電車”で、「設定フラグ」が“１”の制御条件の「内容」が“電車、抑制する”であれば、「種別」の条件を満たしており（ステップＦ２でＹＥＳ）、かつ、“抑制する”の条件にも該当しているので（ステップＦ３でＹＥＳ）、サウンドスピーカ２３に対する音声出力を“抑制する”と判別する（ステップＦ４）。なお、「設定フラグ」が“１”の制御条件の「内容」が例えば、“電車、抑制しない”であれば（ステップＦ３でＮＯ）、“抑制しない”と判別する（ステップＦ５）。
【００５７】
一方、「設定フラグ」が“１”の制御条件の「内容」が“電車、抑制する”の場合に、電車以外の交通機関の利用中（例えば、自家用車や自転車など利用中、歩行中）であれば（ステップＦ２でＮＯ）、「設定フラグ」が“１”の制御条件の「内容」が“抑制する”になっているかを調べるが（ステップＦ６）、図６の例では、その制御条件の「内容」が“抑制する”であるから（ステップＦ６でＹＥＳ）、“抑制しない”と判別するが（ステップＦ５）、その「内容」が例えば、“抑制しない”であれば（ステップＦ６でＮＯ）、“抑制する”と判別する（ステップＦ４）。
【００５８】
なお、「設定フラグ」が“１”の制御条件の「内容」として、図６の例のように“電車、抑制する”と“飛行機、抑制する”の複数が存在する場合には、制御条件毎に上述の動作が行われる。これによって電車の利用中では、“電車、抑制する”の制御条件を満たすので（ステップＦ２、Ｆ３でＹＥＳ）、“抑制する”と判別され（ステップＦ４）、“飛行機、抑制する”の制御条件を満たさないので（ステップＦ２でＮＯ、ステップＦ６でＹＥＳ）、“抑制しない”と判別される（ステップＦ５）。このように複数の制御条件を利用して“抑制する”と“抑制しない”の両方とも判別された場合には、上述のように、抑制するかしないかを予め決めておくようにしてもよいし、条件の優先順位を決めておいて、より優先順位の高い条件の内容に従うようにしてもよい（以下、同様）。
【００５９】
このような判別処理Ａ（図１３のステップＥ３）が終わると、中央制御部１１は、制御条件記憶部Ｍ６をアクセスしてその「ＩＤ」が“Ｄ０２”（「項目」が“アプリケーション”）の制御条件を読み出し（ステップＥ４）、その「設定フラグ」が“１”の「内容」が記憶されているかを調べ（ステップＥ５）、「設定フラグ」が“１”の「内容」が記憶されていなければ、次のステップＥ７に移る。いま、図６の例では、制御条件の「内容」として“緊急報知アプリ、抑制しない”の「設定フラグ」が“１”となっているので（ステップＥ５でＹＥＳ）、動作中のアプリケーションに応じてサウンドスピーカ２３に対する音声出力を抑制するか否かを判別する判別処理Ｂに移る（ステップＥ６）。
【００６０】
図１５は、上述した判別処理Ｂ（図１３のステップＥ６）を詳述するためのフローチャートである。
この判別処理Ｂは、上述した判別処理Ａと基本的に同様の処理であるため、その詳細な説明は省略するものとする。先ず、動作中のアプリケーションを検出し（ステップＧ１）この動作中のアプリケーションは「設定フラグ」が“１”の制御条件の「内容」を満たすかを調べる（ステップＧ２）。以下、上述した判別処理Ａの場合と同様の動作に移る。いま、動作中のアプリケーションが“緊急報知アプリである場合に、図６の例のように「設定フラグ」が“１”の制御条件の「内容」が“緊急報知アプリ、抑制しない”であれば（ステップＧ２でＹＥＳ、ステップＧ３でＮＯ）、“抑制しない”と判別する（ステップＧ５）。なお、「設定フラグ」が“１”の制御条件の「内容」が“緊急報知アプリ、抑制する”であれば（ステップＧ２、Ｇ３でＹＥＳ）、“抑制する”と判別する（ステップＧ４）。
【００６１】
一方、「設定フラグ」が“１”の制御条件の「内容」が“緊急報知アプリ、抑制しない”の場合に、“緊急報知アプリ以外のアプリケーション、例えば、“テレビ再生アプリ”、“動画再生アプリ”などが動作中であれば（ステップＧ２、Ｇ６でＮＯ）、“抑制する”と判別するが（ステップＧ４）、その「内容」が“抑制する”であれば（ステップＧ６でＹＥＳ）、“抑制しない”と判別する（ステップＧ５）。
【００６２】
このような判別処理Ｂ（図１３のステップＥ６）が終わると、中央制御部１１は、制御条件記憶部Ｍ６をアクセスしてその「ＩＤ」が“Ｄ０３”（「項目」が“動作モード”）の制御条件を読み出し（ステップＥ７）、その「設定フラグ」が“１”の「内容」が有るかを調べ（ステップＥ８）、「設定フラグ」が“１”の「内容」が無ければ、次のステップＥ１０に移る。いま、図６の例では、制御条件の「内容」として“緊急モード、抑制しない”の「設定フラグ」が“１”となっているので（ステップＥ８でＹＥＳ）、現在の動作モードに応じてサウンドスピーカ２３に対する音声出力を抑制するか否かを判別する判別処理Ｃに移る（ステップＥ９）。
【００６３】
図１６は、判別処理Ｃ（図１３のステップＥ９）を詳述するためのフローチャートである。この判別処理Ｃは、上述した判別処理Ａと基本的に同様の処理であるため、その詳細な説明は省略するものとする。先ず、動作モード情報記憶部Ｍ４をアクセスして動作モード情報を読み出し（ステップＨ１）、その「設定フラグ」が“１”の動作モードの「内容」は、「設定フラグ」が“１”の制御条件の「内容」を満たすかを調べる（ステップＨ２）。以下、上述した判別処理Ａの場合と同様の動作に移る。いま、現在の動作モードが“緊急モード”で、「設定フラグ」が“１”の制御条件の「内容」が“緊急モード、抑制しない”であれば（ステップＨ２でＹＥＳ、Ｈ３でＮＯ）、“抑制しない”と判別する（ステップＨ５）。なお、「設定フラグ」が“１”の制御条件の「内容」が“緊急モード、抑制する”であれば（ステップＨ２、Ｈ３でＹＥＳ）、“抑制する”と判別する（ステップＨ４）。
【００６４】
一方、「設定フラグ」が“１”の制御条件の「内容」が“緊急モード、抑制しない”の場合に、動作モードが“電波オフモード”であれば（ステップＨ２、Ｈ６でＮＯ）、“抑制する”と判別するが（ステップＨ４）、その「内容」が“緊急モード、抑制する”であれば（ステップＨ６でＹＥＳ）、“抑制しない”と判別する（ステップＨ５）。
【００６５】
このような判別処理Ｃ（図１３のステップＥ９）が終わると、中央制御部１１は、制御条件記憶部Ｍ６をアクセスしてその「ＩＤ」が“Ｄ０４”（「項目」が“周囲音量”）の制御条件を読み出し（ステップＥ１０）、その「設定フラグ」が“１”の「内容」が有るかを調べ（ステップＥ１１）、「設定フラグ」が“１”の「内容」が無ければ、次のステップＥ１３に移る。いま、図６の例では、制御条件の「内容」として“＊＊＊ｄＢ未満、抑制する”の「設定フラグ」が“１”となっているので（ステップＥ１１でＹＥＳ）、現在の周囲音量に応じてサウンドスピーカ２３に対する音声出力を抑制するか否かを判別する判別処理Ｄに移る（ステップＥ１２）。なお、周囲音量が“＊＊＊ｄＢ未満”とは、例えば、隣人の音声が鮮明に聞こえる程度である。
【００６６】
図１７は、判別処理Ｄ（図１３のステップＥ１２）を詳述するためのフローチャートである。この判別処理Ｄは、上述した判別処理Ａと基本的に同様の処理であるため、その詳細な説明は省略するものとする。先ず、周囲音量検出部２８によって現在の周囲音量を検出したのち（ステップＩ１）、この周囲音量は、「設定フラグ」が“１”の制御条件の「内容」を満たすかを調べる（ステップＩ２）。以下、上述した判別処理Ａの場合と同様の動作に移る。いま、現在の周囲音量が“＊＊＊ｄＢ未満”の場合に、図６の例のように「設定フラグ」が“１”の制御条件の「内容」が“＊＊＊ｄＢ未満、抑制する”であれば（ステップＩ２、Ｉ３でＹＥＳ）、“抑制する”と判別する（ステップＩ４）。なお、「設定フラグ」が“１”の制御条件の「内容」が“＊＊＊ｄＢ未満、抑制しない”であれば（ステップＩ２でＹＥＳ、ステップＩ３でＮＯ）、“抑制しない”と判別する（ステップＩ５）。
【００６７】
一方、「設定フラグ」が“１”の制御条件の「内容」が“＊＊＊ｄＢ未満、抑制する”の場合に、周囲音量が“＊＊＊ｄＢ以上”であれば（ステップＩ２でＮＯ、ステップＩ６でＹＥＳ）、“抑制しない”と判別するが（ステップＩ５）、その「内容」が“＊＊＊ｄＢ未満、抑制しない”であれば（ステップＩ６でＮＯ）、“抑制する”と判別する（ステップＩ４）。
【００６８】
このような判別処理Ｄ（図１３のステップＥ１２）が終わると、中央制御部１１は、制御条件記憶部Ｍ６をアクセスしてその「ＩＤ」が“Ｄ０５”（「項目」が“日時”）の制御条件を読み出し（ステップＥ１３）、その「設定フラグ」が“１”の「内容」が有るかを調べ（ステップＥ１４）、「設定フラグ」が“１”の「内容」が無ければ、次のステップＥ１６に移る。いま、図６の例では、制御条件の「内容」として“日曜日、抑制しない”の「設定フラグ」が“１”となっているので（ステップＥ１４でＹＥＳ）、現在日時に応じてサウンドスピーカ２３に対する音声出力を抑制するか否かを判別する判別処理Ｅに移る（ステップＥ１５）。
【００６９】
図１８は、判別処理Ｅ（図１３のステップＥ１５）を詳述するためのフローチャートである。この判別処理Ｅは、上述した判別処理Ａと基本的に同様の処理であるため、その詳細な説明は省略するものとする。先ず、ＲＴＣ２１から現在日時（曜日も含む）を取得したのち（ステップＪ１）、現在日時は、「設定フラグ」が“１”の制御条件の「内容」を満たすかを調べる（ステップＪ２）。以下、上述した判別処理Ａの場合と同様の動作に移る。いま、現在日時が“日曜日”の場合に、図６の例のように「設定フラグ」が“１”の制御条件の「内容」が“日曜日、抑制しない”であれば（ステップＪ２でＹＥＳ、ステップＪ３でＮＯ）、“抑制しない”と判別する（ステップＪ５）。なお、「設定フラグ」が“１”の制御条件の「内容」が“日曜日、抑制する”であれば（ステップＪ３でＹＥＳ）、“抑制する”と判別する（ステップＪ４）。
【００７０】
一方、「設定フラグ」が“１”の制御条件の「内容」が“日曜日、抑制しない”の場合に、現在日時が“月曜日”であれば（ステップＪ２、Ｊ６でＮＯ）、“抑制する”と判別するが（ステップＪ４）、現在日時が“月曜日”の場合に、その制御条件の「内容」が“日曜日、抑制する”であれば（ステップＪ６でＹＥＳ）、“抑制しない”と判別する（ステップＪ５）。
【００７１】
このような判別処理Ｅ（図１３のステップＥ１５）が終わると、中央制御部１１は、制御条件記憶部Ｍ６をアクセスしてその「ＩＤ」が“Ｄ０６”（「項目」が“位置”）の制御条件を読み出し（ステップＥ１６）、その「設定フラグ」が“１”の「内容」が有るかを調べ（ステップＥ１７）、「設定フラグ」が“１”の「内容」が無ければ、この図１３の抑制判別処理の終了となる。いま、図６の例では、制御条件の「内容」として“自宅付近の位置、抑制しない”の「設定フラグ」が“１”となっているので（ステップＥ１７でＹＥＳ）、現在位置に応じてサウンドスピーカ２３に対する音声出力を抑制するか否かを判別する判別処理Ｆに移る（ステップＫ１８）。
【００７２】
図１９は、判別処理Ｆ（図１３のステップＥ１８）を詳述するためのフローチャートである。この判別処理Ｆは、上述した判別処理Ａと基本的に同様の処理であるために、その詳細な説明は省略するものとする。先ず、ＧＰＳ受信部１６から現在位置を取得したのち（ステップＫ１）、現在位置は、「設定フラグ」が“１”の制御条件の「内容」を満たすかを調べる（ステップＫ２）。以下、上述した判別処理Ａの場合と同様の動作に移る。いま、現在位置が“自宅付近の位置”の場合に、図６の例のように「設定フラグ」が“１”の制御条件の「内容」が“自宅付近の位置、抑制しない”であれば（ステップＫ２でＹＥＳ、ステップＫ３でＮＯ）、“抑制しない”と判別する（ステップＫ５）。なお、「設定フラグ」が“１”の制御条件の「内容」が“自宅付近の位置、抑制する”であれば（ステップＫ３でＹＥＳ）、“抑制する”と判別する（ステップＫ４）。
【００７３】
一方、「設定フラグ」が“１”の制御条件の「内容」が“自宅付近の位置、抑制しない”の場合に、現在位置が“自宅から離れた位置”であれば（ステップＫ２、Ｋ６でＮＯ）、“抑制する”と判別するが（ステップＫ４）、現在位置が“自宅から離れた位置”の場合に、その制御条件の「内容」が“自宅付近の位置、抑制する”であれば（ステップＫ２でＮＯ、ステップＫ６でＹＥＳ）、“抑制しない”と判別する（ステップＫ５）。
【００７４】
このようにヘッドホン１０に対して音声出力中にヘッドホン１０が外された際に上述の抑制判別処理（図１２のステップＤ２４）を実行した結果、“抑制する”と判別されたかを調べる（図１２のステップＤ２５）。ここで、“抑制する”と判別されたときには、再生中のコンテンツを検出して（ステップＤ２６）、緊急報知アプリ動作中で緊急報知音を再生中なのか（ステップＤ２７）、受信しているテレビ放送／ラジオ放送の番組を再生中なのか、記録されているコンテンツを再生中なのかを調べる（ステップＤ３１）。
【００７５】
いま、緊急報知音の再生中であれば（ステップＤ２７でＹＥＳ）、サウンドスピーカ２３に対する音声出力を抑制する一方、ヘッドホン１０に対して音声（緊急報知音）の出力を停止すると共に（ステップＤ２８）、緊急報知音を停止したことを示すために緊急報知音停止フラグを“１”として、各種情報一時記憶部Ｍ２に記憶させたのち（ステップＤ２９）、上述の解除タイマを起動させる（ステップＤ３０）。
【００７６】
また、受信しているテレビ放送／ラジオ放送番組の再生中であれば（ステップＤ３１でＹＥＳ）、サウンドスピーカ２３に対する音声出力を抑制する一方、テレビ放送／ラジオ放送番組の受信停止又はそれを記録（録画、録音）する記録動作を開始する（ステップＤ３２）。そして、テレビ放送を受信していた場合には、表示部１９に対して映像出力を停止して（ステップＤ３３）、表示部１９からの映像出力を停止させる（ステップＤ３４）。そして、ヘッドホン１０に対して音声出力を停止すると共に（ステップＤ３５）、テレビ放送／ラジオ放送番組を停止したことを示すためにテレビ放送／ラジオ放送番組停止フラグを“１”として、各種情報一時記憶部Ｍ２に記憶させたのち（ステップＤ３６）、上述の解除タイマを起動させる（ステップＤ３０）。
【００７７】
また、記録されているコンテンツを再生中であれば（ステップＤ３１でＮＯ）、サウンドスピーカ２３に対する音声出力を抑制する一方、このコンテンツの再生を一時停止すると共にその停止位置を動作モード情報記憶部Ｍ４に一時記憶しておく（ステップＤ３７）。そして、コンテンツに映像が含まれている場合には、表示部１９に対して映像出力を停止して（ステップＤ３８）、表示部１９からの映像出力を停止させる（ステップＤ３９）。そして、ヘッドホン１０に対して音声出力を停止すると共に（ステップＤ４０）、コンテンツ再生を一時停止したことを示すために一時停止フラグを“１”として、各種情報一時記憶部Ｍ２に記憶させたのち（ステップＤ４１）、上述の解除タイマを起動させる（ステップＤ３０）。
【００７８】
一方、抑制判別処理（ステップＤ２４）を実行した結果、“抑制しない”と判別された場合には（ステップＤ２５でＮＯ）、ヘッドホン１０に対して音声出力を停止したのち（ステップＤ４２）、サウンドスピーカ２３に対して音声出力を開始して（ステップＤ４３）、サウンドスピーカ２３からの音声出力を開始させる（ステップＤ４４）。
【００７９】
他方、ヘッドホン１０の接続が検出された場合には（図１１のステップＤ１でＹＥＳ）、サウンドスピーカ２３に対して音声出力中であるかを調べる（ステップＤ２）。いま、サウンドスピーカ２３に対する音声出力中にヘッドホン１０が接続されたときには（ステップＤ２でＹＥＳ）、音声の出力先を切り替えるためにサウンドスピーカ２３に対して音声出力を停止して（ステップＤ３）、サウンドスピーカ２３からの音声出力を停止させたのち（ステップＤ４）、ヘッドホン１０に対して音声出力を開始する（ステップＤ５）。
【００８０】
また、ヘッドホン１０の接続が検出された場合においてサウンドスピーカ２３に対して音声出力中でなければ（ステップＤ２でＮＯ）、上述した解除タイマは動作中か、つまり、サウンドスピーカ２３に対する音声出力を抑制中かを調べる（ステップＤ６）。ここで、解除タイマが動作中でなければ（抑制中でなければ）、図１１及び図１２のヘッドホン処理の終了となるが、解除タイマが動作中であって抑制中であれば（ステップＤ６でＹＥＳ）、各種情報一時記憶部Ｍ２から停止フラグを読み出し（ステップＤ７）、緊急報知音停止フラグは“１”であるかを調べたり（ステップＤ８）、テレビ放送／ラジオ放送番組停止フラグ、一時停止フラグは“１”であるかを調べたりする（ステップＤ１２）。
【００８１】
いま、緊急報知音停止フラグが“１”であれば（ステップＤ８でＹＥＳ）、ヘッドホン１０に対して音声（緊急報知音）の出力を開始（再開）する（ステップＤ９）。つまり、ヘッドホン１０が外されたときに音声出力を停止した緊急報知音を指定してその出力を再開する。そして、緊急報知音停止フラグを“０”としたのち（ステップＤ１０）、解除タイマの計測動作を停止させる（ステップＤ１１）。
【００８２】
また、テレビ放送／ラジオ放送番組停止フラグが“１”であれば（ステップＤ１２でＹＥＳ）、テレビ放送／ラジオ放送番組の受信を開始、又はテレビ放送／ラジオ放送番組が記録中であればその記録内容を読み出す（ステップＤ１３）。そして、テレビ放送番組の場合には、表示部１９に対して映像出力を開始して（ステップＤ１４）、表示部１９からの映像出力を開始させると共に（ステップＤ１５）、ヘッドホン１０に対して音声出力を開始し（ステップＤ１６）、テレビ放送／ラジオ放送番組停止フラグを“０”としたのち（ステップＤ１７）解除タイマの計測動作を停止させる（ステップＤ１１）。
【００８３】
また、一時停止フラグが“１”であれば（ステップＤ１２でＮＯ）、一時停止しているコンテンツの再生を継続するために動作モード情報記憶部Ｍ４に一時記憶されているその停止位置を読み出して当該コンテンツの再生を再開する（ステップＤ１８）。そして、コンテンツに映像が含まれている場合には、表示部１９に対して映像出力を開始して（ステップＤ１９）、表示部１９からの映像出力を開始させる（ステップＤ２０）。そして、ヘッドホン１０に対して音声出力を開始すると共に（ステップＤ２１）、一時停止フラグを“０”としたのち（ステップＤ２２）、解除タイマの計測動作を停止させる（ステップＤ１１）。
【００８４】
このようにヘッドホン１０が接続されたこと、又は外れたことのヘッドホン検出に応じてヘッドホン処理が実行されると（図７のステップＡ１０）、上述の制御条件を満たすか否かに基づいてサウンドスピーカ２３に対する音声出力を抑制するか否かが判別されたり、サウンドスピーカ２３に対する音声出力の抑制中にヘッドホン１０が接続された場合には、その抑制が解除されたりする。
【００８５】
次に、図２０のフローチャートに従って上述した解除処理（図７のステップＡ１２）を詳述する。先ず、中央制御部１１は、上述の抑制判別処理（図１３〜図１９）を実行したのち（図２０のステップＬ１）、この判別結果に基づいて“抑制する”と判別されたかを調べ（ステップＬ２）、“抑制する”と判別された場合には、解除タイマを起動させる（ステップＬ３）。すなわち、解除タイマのタイムアウト検出後の抑制判別処理で“抑制する”と判別された場合には、サウンドスピーカ２３に対する音声出力の抑制を継続し、その抑制を解除するための次のタイミングを測定するために解除タイマを起動させる。
【００８６】
また、抑制判別処理の結果、“抑制しない”と判別された場合には（ステップＬ２でＮＯ）、各種情報一時記憶部Ｍ２から停止フラグを読み出し（ステップＬ４）、緊急報知音停止フラグは“１”であるかを調べたり（ステップＬ５）、テレビ放送／ラジオ放送番組停止フラグ、一時停止フラグは“１”であるかを調べたりする（ステップＬ１０）。いま、緊急報知音停止フラグが“１”であれば（ステップＬ５でＹＥＳ）、サウンドスピーカ２３に対して音声（緊急報知音）の出力を開始して（ステップＬ６）、サウンドスピーカ２３からの音声（緊急報知音）の出力を開始させる（ステップＬ７）。そして、緊急報知音停止フラグを“０”としたのち（ステップＬ８）、解除タイマの計測動作を停止させる（ステップＬ９）。
【００８７】
また、テレビ放送／ラジオ放送番組停止フラグが“１”であれば（ステップＬ１０でＹＥＳ）、テレビ放送／ラジオ放送番組の受信を開始する（ステップＬ１１）。そして、テレビ放送を受信した場合には、表示部１９に対して映像出力を開始して（ステップＬ１２）、表示部１９からの映像出力を開始させると共に（ステップＬ１３）、サウンドスピーカ２３に対して音声出力を開始して（ステップＬ１４）、サウンドスピーカ２３からの音声出力を開始させる（ステップＬ１５）。そして、テレビ放送／ラジオ放送番組停止フラグを“０”としたのち（ステップＬ１６）解除タイマの計測動作を停止させる（ステップＬ９）。
【００８８】
また、一時停止フラグが“１”であれば（ステップＬ１０でＮＯ）、一時停止しているコンテンツの再生を継続するために当該コンテンツの再生を再開する（ステップＬ１７）。そして、コンテンツに映像が含まれている場合には、表示部１９に対して映像出力を開始して（ステップＬ１８）、表示部１９からの映像出力を開始させると共に（ステップＬ１９）、サウンドスピーカ２３に対して音声出力を開始して（ステップＬ２０）、サウンドスピーカ２３からの音声出力を開始させる（ステップＬ２１）。そして、一時停止フラグを“０”としたのち（ステップＬ２２）解除タイマの計測動作を停止させる（ステップＬ９）。
【００８９】
以上のように、この実施形態において中央制御部１１は、ヘッドホン１０に対して音声出力中に当該ヘッドホン１０との接続が外れたことが検出された場合に、制御条件を満たすか否かの判別結果に基づいてサウンドスピーカ２３に対する音声出力を抑制するか否かを制御するようにしたので、その制御を状況に応じて適切に行うことができる。この場合、サウンドスピーカ２３に対する音声の出力に適さない状況であれば音声の出力を抑制し、適する状況であれば音声の出力を抑制しないようにすることによって、周囲への迷惑を防止すると共にユーザに対する利便性を確保することができる。
【００９０】
サウンドスピーカ２３に対する音声出力を抑制する場合に、コンテンツの再生を停止するようにしたので、コンテンツの再生のために消費される電力を抑制して省電力化を図ることができる。また、停止が一時停止の場合には、ユーザがコンテンツの再生を再開すれば、続きを容易に視聴することができるので、利便性が更に向上する。例えば、ヘッドホン１０を携帯電話機１に接続して音楽コンテンツを再生中に、誤ってヘッドホン１０が外れてサウンドスピーカ２３に対する音声の出力を抑制してしまった場合でも、ユーザはヘッドホン１０を接続し直すだけで、音楽コンテンツの続きを容易に再生させることができる。
【００９１】
サウンドスピーカ２３に対する音声出力を抑制している状態において、サウンドスピーカ２３に対する音声の出力に適する状況になれば、その音声の出力の抑制を解除するようにしたので、ユーザに対する利便性を確保することができる。
【００９２】
所定の交通機関を利用中か否かに基づいてサウンドスピーカ２３に対する音声出力を抑制するか否かを制御するようにしたので、サウンドスピーカ２３に対する音声の出力に適さない交通機関であれば、その音声の出力を抑制し、適する交通機関であれば、その音声の出力を抑制しないようにすることができ、周囲への迷惑を防止すると共にユーザに対する利便性を確保することができる。例えば、電車、バス、飛行機などの公共性の高い交通機関であれば、音声の出力を抑制することによって周囲への迷惑を防止し、自家用車などの個人的な交通機関であれば、音声の出力を抑制しないようにすることによって、ユーザに対する利便性を確保することができる。
【００９３】
所定のアプリケーションプログラムが動作中か否かに基づいてサウンドスピーカ２３に対する音声出力を抑制するか否かを制御するようにしたので、サウンドスピーカ２３に対する音声の出力に適さないアプリケーションプログラムであれば、音声の出力を抑制し、適するアプリケーションプログラムであれば、音声の出力を抑制しないようにすることができ、周囲への迷惑を防止すると共にユーザに対する利便性を確保することができる。例えば、音楽再生用、テレビ番組再生用アプリケーションプログラムなどの娯楽性の高いアプリケーションプログラムであれば、音声の出力を抑制することによって周囲への迷惑を防止し、緊急状態であることを報知するための緊急性の高いアプリケーションプログラムであれば、音声の出力を抑制しないようにすることによって、ユーザに対する利便性を確保することができる。
【００９４】
所定の動作モードに設定されているか否かに基づいてサウンドスピーカ２３に対する音声出力を抑制するか否かを制御するようにしたので、サウンドスピーカ２３に対する音声の出力に適さない動作モードであれば、音声の出力を抑制し、適する動作モードであれば音声の出力を抑制しないようにすることができ、周囲への迷惑を防止すると共にユーザに対する利便性を確保することができる。例えば、電波オフモードなどの公共の場所にいる可能性の高い動作モードであれば、音声の出力を抑制することによって周囲への迷惑を防止し、緊急モードなどの緊急性の高い動作モードであれば、音声の出力を抑制しないようにすることによって、ユーザに対する利便性を確保することができる。
【００９５】
周囲の音量が所定の音量条件を満たすか否かに基づいてサウンドスピーカ２３に対する音声出力を抑制するか否かを制御するようにしたので、サウンドスピーカ２３に対する音声の出力に適さない周囲の音量であれば音声の出力を抑制し、適する周囲の音量であれば音声の出力を抑制しないようにすることができ、周囲への迷惑を防止すると共にユーザに対する利便性を確保することができる。例えば、周囲の音量が小さい、すなわち周囲が静かであれば、音声の出力を抑制することによって周囲への迷惑を防止し、周囲の音量が大きい、すなわち周囲が騒がしければ、音声の出力を抑制しないようにすることによって、ユーザに対する利便性を確保することができる。
【００９６】
現在時刻が所定の時刻条件を満たすか否かに基づいてサウンドスピーカ２３に対する音声出力を抑制するか否かを制御するようにしたので、サウンドスピーカ２３に対する音声の出力に適さない時刻であれば、音声の出力を抑制し、適する時刻であれば、音声の出力を抑制しないようにすることによって、周囲への迷惑を防止すると共にユーザに対する利便性を確保することができる。例えば、早朝、深夜、通勤・通学時間帯であれば、音声の出力を抑制することによって周囲への迷惑を防止し、昼間や休日であれば、音声の出力を抑制しないようにすることによって、ユーザに対する利便性を確保することができる。
【００９７】
携帯電話機１の位置を示す位置情報が所定の位置条件を満たすか否かに基づいてサウンドスピーカ２３に対する音声出力を抑制するか否かを制御するようにしたので、サウンドスピーカ２３に対する音声の出力に適さない位置であれば、音声の出力を抑制し、適する位置であれば、音声の出力を抑制しないようにすることができ、周囲への迷惑を防止すると共にユーザに対する利便性を確保することができる。例えば、公共施設内であれば、音声の出力を抑制することによって周囲への迷惑を防止し、自宅内や屋外であれば、音声の出力を抑制しないようにすることによって、ユーザに対する利便性を確保することができる。
【００９８】
なお、上述した実施形態においては、外部音声出力装置としてヘッドホンを例示したが、これに限らず、例えば、イヤホンなどのように、端末装置から入力された音声を出力可能な任意の外部音声出力装置であってもよい。また、端末装置としては携帯電話機に限らず、例えば、パーソナルコンピュータ、ＰＤＡ（個人用の携帯情報端末）、デジタルカメラ、音楽プレイヤーなど、コンテンツを再生する任意の端末装置であってもよい。
更に、コンテンツとしては、緊急報知音、テレビ番組、ラジオ番組、音楽、動画に限らず、例えば、音声読み上げ機能を備えた電子書籍など、音声を含む任意のコンテンツであってもよい。
【００９９】
また、上述した実施形態においては、制御条件記憶部Ｍ６に複数の制御条件を記憶し、その何れかの制御条件を利用するようにしたが、より簡易に、１つの制御条件のみを利用するようにしてもよいし、制御条件の内容をユーザ設定できないようにしてもよい。
また、制御条件の「項目」として所定の交通機関、アプリケーション、動作モード、周囲音量、日時、位置に限らず、任意の交通機関、アプリケーション、動作モード、周囲音量、日時、位置であってもよい。
【０１００】
また、上述した実施形態においては、コンテンツの再生停止として一時停止する場合を例示したが、これに限らず、コンテンツの再生停止は再生終了であってもよい。
【０１０１】
また、上述した実施形態においては、交通機関の利用を検出する方法として、車載装置との通信、改札装置との通信、車内にいることを認識するための信号の受信を例示したが、これに限らず、例えば、自家用車のエンジンの始動や停止の検出、ドアの開閉検出、高速移動の検出など、任意の検出方法であってもよい。
【図面の簡単な説明】
【０１０２】
【図１】端末装置として適用した携帯電話機が利用可能な通信ネットワークシステムを示したブロック図。
【図２】携帯電話機１の基本的な構成要素を示したブロック図。
【図３】コンテンツ記憶部Ｍ３を説明するための図。
【図４】動作モード情報記憶部Ｍ４を説明するための図。
【図５】利用履歴記憶部Ｍ５を説明するための図。
【図６】制御条件記憶部Ｍ６を説明するための図。
【図７】携帯電話機１の全体動作の概要を示したフローチャート。
【図８】利用処理（図７のステップＡ６）を詳述するためのフローチャート。
【図９】再生処理（図７のステップＡ８）を詳述するためのフローチャート。
【図１０】図９に続く動作を示したフローチャート。
【図１１】ヘッドホン処理（図７のステップＡ１０）を詳述するためのフローチャート。
【図１２】図１０に続く動作を示したフローチャート。
【図１３】抑制判別処理（図１２のステップＤ２４）を詳述するためのフローチャート。
【図１４】交通機関の利用履歴に応じてサウンドスピーカ２３に対する音声出力を抑制するか否かを判別する判別処理Ａ（図１３のステップＥ３）を詳述するためのフローチャート。
【図１５】動作中のアプリケーションに応じてサウンドスピーカ２３に対する音声出力を抑制するか否かを判別する判別処理Ｂ（図１３のステップＥ６）を詳述するためのフローチャート。
【図１６】現在の動作モードに応じてサウンドスピーカ２３に対する音声出力を抑制するか否かを判別する判別処理Ｃ（図１３のステップＥ９）を詳述するためのフローチャート。
【図１７】現在の周囲音量に応じてサウンドスピーカ２３に対する音声出力を抑制するか否かを判別する判別処理Ｄ（図１３のステップＥ１２）を詳述するためのフローチャート。
【図１８】現在日時に応じてサウンドスピーカ２３に対する音声出力を抑制するか否かを判別する判別処理Ｅ（図１３のステップＥ１５）を詳述するためのフローチャート。
【図１９】現在位置に応じてサウンドスピーカ２３に対する音声出力を抑制するか否かを判別する判別処理Ｆ（図１３のステップＥ１８）を詳述するためのフローチャート。
【図２０】解除処理（図７のステップＡ１２）を詳述するためのフローチャート。
【符号の説明】
【０１０３】
１  携帯電話機
２  無線通信網
３  インターネット
４  コンテンツ配信装置
５  テレビ局・ラジオ局
７  ＧＰＳ衛星
８  車載装置
９  公共交通機関装置
１０  ヘッドホン
１１  中央制御部
１３  記憶部
１６  ＧＰＳ受信部
１７  放送受信部
１８  近距離通信部
１９  表示部
２０  操作部
２１  ＲＴＣ
２２  報知部
２３  サウンドスピーカ
２６  外部機器接続部
２７  ヘッドホン接続部
２８  周囲音検出部  
Ｍ１  プログラム記憶
Ｍ３  コンテンツ記憶部
Ｍ４  動作モード情報記憶部
Ｍ５  利用履歴記憶部
Ｍ６  制御条件記憶部
【図１】
2010050907.tif 000003
【図２】
2010050907.tif 000004
【図３】
2010050907.tif 000005
【図４】
2010050907.tif 000006
【図５】
2010050907.tif 000007
【図６】
2010050907.tif 000008
【図７】
2010050907.tif 000009
【図８】
2010050907.tif 000010
【図９】
2010050907.tif 000011
【図１０】
2010050907.tif 000012
【図１１】
2010050907.tif 000013
【図１２】
2010050907.tif 000014
【図１３】
2010050907.tif 000015
【図１４】
2010050907.tif 000016
【図１５】
2010050907.tif 000017
【図１６】
2010050907.tif 000018
【図１７】
2010050907.tif 000019
【図１８】
2010050907.tif 000020
【図１９】
2010050907.tif 000021
【図２０】
2010050907.tif 000022